(57)【要約】【課題】加工穴の内壁面の面粗さを向上させることができる切削インサート及びこの切削インサートが装着された切削工具を提供する。【解決手段】被切削材に設けられた下穴の内壁面を切削加工して加工穴を形成する切削工具に装着される切削インサート１０であって、外形が多角形平板状をなして多角形面と該多角形面と交差する側面とを有し、前記多角形面と前記側面との交差稜線部に切刃１５が設けられており、前記多角形面の角部１１ＡにはコーナＲ部１７が形成され、角部１１Ａで交差する一対の切刃１５のうちの少なくとも一の切刃１５とコーナＲ部１７との間には、前記多角形面に対向する側から見て、一の切刃１５よりも内側に傾いた直線刃１８が形成されていることを特徴とする。【選択図】図３
2007283467.tif 000002
【特許請求の範囲】
【請求項１】
被切削材に設けられた下穴の内壁面を切削加工して加工穴を形成する切削工具に装着される切削インサートであって、
外形が多角形平板状をなして２つの多角形面とこれら２つの多角形面と直交する側面とを有し、前記多角形面と前記側面との交差稜線部に切刃が設けられており、
前記多角形面の角部にはコーナＲ部が形成され、前記角部で交差する一対の前記切刃のうちの少なくとも一の切刃と該コーナＲ部との間には、前記多角形面に対向する側から見て、前記一の切刃よりも内側に傾いた直線刃が形成されていることを特徴とする切削インサート。
【請求項２】
前記一の切刃と前記直線刃との間に連結Ｒ部が形成されていることを特徴とする請求項１に記載の切削インサート。
【請求項３】
前記直線刃が、前記コーナＲ部と前記角部で交差する一対の切刃との間にそれぞれ形成され、前記多角形面に対向する側から見て、前記コーナＲ部を２等分する直線に対して線対称に形成されていることを特徴とする請求項１または請求項２に記載の切削インサート。
【請求項４】
前記多角形面には、該多角形面の辺稜部に沿って延びて前記多角形面から凹んだブレーカ溝と、前記多角形面中央部から各辺稜部に向けて延びて前記ブレーカ溝を分割するリブ部とが形成されており、
前記ブレーカ溝は、前記側面に対向する側から見て、前記角部から離れるにしたがい該ブレーカ溝が形成された前記多角形面から漸次後退するように傾斜する傾斜面を有しており、該傾斜面と前記側面との交差稜線部に前記切刃が形成されていることを特徴とする請求項１から請求項３のいずれかに記載の切削インサート。
【請求項５】
前記側面に対向する側から見て、前記傾斜面と前記多角形面とがなす角度θが、５°≦θ≦１５°の範囲内に設定されていることを特徴とする請求項４に記載の切削インサート。
【請求項６】
請求項１から請求項５のいずれかに記載の切削インサートが着脱可能に装着され、被切削材に設けられた下穴の内壁面を前記切削インサートの前記切刃によって切削加工して加工穴を形成する切削工具であって、
軸線回りに回転される工具本体を有し、該工具本体の先端部外周に凹部が形成され、これら凹部の工具回転方向後方側に取付座が形成され、
前記切削インサートの前記多角形面の１つが工具回転方向前方側を向いて、前記角部の１つが前記工具本体径方向外側及び前記工具本体先端側に突出するように、かつ、前記直線刃が前記工具本体径方向外側を向くようにして装着されていることを特徴とする切削工具。
【発明の詳細な説明】
【技術分野】
【０００１】
本発明は、被切削材に予め設けられた下穴の内壁面を切削加工して加工穴を形成する際に使用される切削工具に着脱可能に装着される切削インサート及びこの切削インサートが装着された切削工具に関する。
【背景技術】
【０００２】
近年、エンジンのシリンダーボアの加工等に用いられる切削工具として、切刃を有する切削インサートを工具本体の先端部外周に着脱可能に装着したボーリングカッタ等が知られている。ここで、被切削材の下穴の内壁面を荒加工するボーリングカッタの場合、切削代を比較的大きく取るために切削抵抗が大きくなる傾向にある。そこで、このようなボーリングカッタには、高い剛性を有するネガティブタイプの切削インサートが広く使用されている。
【０００３】
前記のボーリングカッタに装着されるネガティブタイプの切削インサートは、その外形が例えば概略四角形平板状をなしており、四角形面の辺稜部に切刃が形成され、すくい面とされる四角形面と逃げ面とされる側面とが直交するように配置されたものである。そして、この切削インサートの四角形面の角部には、コーナＲ部が形成されている。
【０００４】
このような構成とされたインサートは、すくい面とされた１つの四角形面が工具回転方向前方を向くように、かつ、工具本体先端側に向けられて正面逃げ面とされた側面及び工具本体径方向外側に向けられて外周逃げ面とされた側面に逃げを与えるようにして装着される。このようにして構成されたボーリングカッタは、工具本体がアダプタ等を介して工作機械の主軸端に取り付けられ、工具本体の軸線回りに高速回転されるとともに、工具本体の軸線方向に送りを与えられ、被切削材に予め設けられた下穴に挿入され、工具本体の先端部外周に装着された切削インサートの切刃によって下穴の内壁面を切削加工し、所定の内径の加工穴を形成する。
【特許文献１】特開平１０−１４６７１２号公報
【特許文献２】特開２００３−１６０４８８号公報
【発明の開示】
【発明が解決しようとする課題】
【０００５】
ところで、この切削インサートの角部にはコーナＲ部が形成されており、被切削材の加工穴内壁面は、このコーナＲ部の軌跡が１回転当りの送り量分だけずれた形で重ね合わされた形状とされる。よって、ボーリングカッタの１回転当たりの送り量を大きくした場合には、コーナＲ部の回転軌跡が重なり合う部分が加工穴の径方向内側に向けて大きく突出することになり、加工穴の内壁面の面粗さが粗くなってしまう。
【０００６】
荒加工における加工穴内壁面の面粗さが粗い場合には、その後の中仕上げ加工、仕上げ加工においてその切削代を大きくする必要があり、これら中仕上げ加工及び仕上げ加工に使用される切刃に作用する切削抵抗が大きくなるとともに摩耗が促進されてしまい、これら切刃の寿命が短くなってしまう。
【０００７】
この発明は、前述した事情に鑑みてなされたものであって、加工穴内壁面の面粗さを向上させることができる切削インサート及びこの切削インサートが装着された切削工具を提供することを目的とする。
【課題を解決するための手段】
【０００８】
この目的を達成するために、本発明の切削インサートは、被切削材に設けられた下穴の内壁面を切削加工して加工穴を形成する切削工具に装着される切削インサートであって、  外形が多角形平板状をなして２つの多角形面とこれら２つの多角形面と直交する側面とを有し、前記多角形面と前記側面との交差稜線部に切刃が設けられており、前記多角形面の角部にはコーナＲ部が形成され、前記角部で交差する一対の前記切刃のうちの少なくとも一の切刃と該コーナＲ部との間には、前記多角形面に対向する側から見て、前記一の切刃よりも内側に傾いた直線刃が形成されていることを特徴としている。
【０００９】
また、本発明の切削工具は、前述した切削インサートが着脱可能に装着され、被切削材に設けられた下穴の内壁面を前記切削インサートの前記切刃によって切削加工して加工穴を形成する切削工具であって、軸線回りに回転される工具本体を有し、該工具本体の先端部外周に凹部が形成され、これら凹部の工具回転方向後方側に取付座が形成され、前記切削インサートの前記多角形面の１つが工具回転方向前方側を向いて、前記角部の１つが前記工具本体径方向外側及び前記工具本体先端側に突出するように、かつ、前記直線刃が前記工具本体径方向外側を向くようにして装着されていることを特徴としている。
【００１０】
この構成の切削インサート及び切削工具によれば、一の切刃と角部を介して連なる他の切刃を工具本体先端側に向けて主切刃として取付座に装着することにより、前記一の切刃及びコーナＲ部と前記一の切刃との間に形成された直線刃が工具本体径方向外側に向けられ、加工穴内壁面にはコーナＲ部と直線刃とが摺接することになる。
【００１１】
このように切削インサートを工具本体に装着することにより、加工穴内壁面を一の切刃よりも内側に傾いた直線刃によって切削することができ、加工穴内壁面の面粗さが粗くなることを防止できる。
したがって、この切削インサートが装着された切削工具による荒加工を仕上げ寸法に近く行うことができ、その後の中仕上げ、仕上げ加工における切削代を低減でき、これら中仕上げ、仕上げ加工に使用される切刃の寿命向上を図ることができる。
【００１２】
ここで、前記一の切刃と前記直線刃との間に連結Ｒ部を形成することにより、１回転当たりの送り量が大きくなった場合でも、加工穴内壁面と連結Ｒ部とが摺接することになり、加工穴内壁面の面粗さが著しく悪くなることを防止できる。
【００１３】
さらに、前記直線刃を、前記コーナＲ部と前記角部で交差する一対の切刃との間にそれぞれ形成し、前記多角形面に対向する側から見て、前記コーナＲ部を２等分する基準線に対して線対称に形成することにより、例えば右回転の切削工具だけでなく、左回転の切削工具にも使用して、前述したような効果を奏することができ、いわゆる勝手なしの切削インサートとすることができる。
【００１４】
また、前記多角形面に、該多角形面の辺稜部に沿って延びて前記多角形面から凹んだブレーカ溝と、前記多角形面中央部から各辺稜部に向けて延びて前記ブレーカ溝を分割するリブ部とを形成し、前記ブレーカ溝に、前記側面に対向する側から見て、前記角部から離れるにしたがい該ブレーカ溝が形成された前記多角形面から漸次後退するように傾斜する傾斜面を備え、該傾斜面と前記側面との交差稜線部に切刃を形成することにより、工具本体径方向外側に向けられて外周逃げ面とされた側面に逃げが与えられるようにして切削インサートを装着しても、工具本体先端側に向けられた主切刃のラジアルレーキ角を正側に設定することができる。よって、主切刃の切れ味を向上させて切削抵抗を大幅に低減し、工具本体の振動を防止して切削加工を精度良く行うことができるとともに、切削インサートの破損等を防止できる。また、主切刃の切れ味を向上させることによって切削加工後の加工面の面粗さを向上させることができる。
【００１５】
さらに、前記側面に対向する側から見て、前記傾斜面と前記多角形面とがなす角度θを、５°≦θ≦１５°の範囲内に設定することにより、例えば前記外周逃げ面とされた側面に角度θ以下の逃げを与えるようにして切削インサートを装着して、外周逃げ面と被切削材との摺接を防止しつつ、主切刃のラジアルレーキ角を確実に正側に設定することができ、工具本体の振動による加工穴内壁面の面粗さの劣化を防止できる。
【発明の効果】
【００１６】
本発明によれば、加工穴の内壁面の面粗さを向上させることができる切削インサート及びこの切削インサートが装着された切削工具を提供することができる。
【発明を実施するための最良の形態】
【００１７】
本発明の実施形態について添付した図面を参照して説明する。図１から図３に本実施形態である切削インサートを示す。また、図４から図６に、この切削インサートが装着されて構成されるボーリングカッタ（切削工具）を示す。さらに、図７に、被切削材を切刃によって切削する際の切刃の配置を示す。
切削インサート１０は、超硬合金等の硬質材料によって構成され、図１及び図２に示すように、外形が概略四角形平板状、より詳しくは正方形平板状をなしており、２つの四角形面１１と、これら２つの四角形面１１と直交するように配置された４つの側面１２とを備えた、いわゆるネガティブタイプの切削インサートである。
【００１８】
四角形面１１には、この四角形面１１の辺稜部に沿って延びて該四角形面１１から凹んだブレーカ溝１３と、四角形面１１中央部分から四角形面１１の各辺稜部に向かって四角形面１１と同一平面上に延びるリブ部１４とが形成されている。本実施形態では、リブ部１４が各辺稜部を２等分するように形成されており、このリブ部１４によってブレーカ溝１３が四角形面１１の４つの角部１１Ａにそれぞれ位置するように分割されている。これによりブレーカ溝１３は、図１に示すように四角形面１１に対向する側から見て、概略Ｌ字状をなすように形成されている。
【００１９】
また、このブレーカ溝１３は、切削インサート１０の側面１２に対向する側から見て図２に示すように、角部１１Ａから離れてリブ部１４に近づくにしたがい漸次四角形面１１から後退するように延びる傾斜面１３Ａと、該傾斜面１３Ａとリブ部１４とを接続する凹曲面１３Ｂとを備えている。
本実施形態においては、リブ部１４が四角形面１１の辺稜部を２等分するように形成されているので、ブレーカ溝１３は、四角形面１１に対向する側から見てリブ部１４を２等分する基準線に対して線対称となるように配置されるとともに、２つの四角形面１１それぞれにもリブ部１４及びブレーカ溝１３が形成されているため、側面１２に対向する側から見て切削インサート１０の厚さ方向を２等分する基準線に対しても線対称となるようにそれぞれ配置されている。
【００２０】
そして、この傾斜面１３Ａと側面１２との交差稜線部に切刃１５が形成されている。つまり、この切削インサート１０には、図１に示すように、その角部１１Ａで交差する一対の切刃１５がそれぞれ形成され、これら一対の切刃１５の内側に沿うようにして概略Ｌ字状をなすブレーカ溝１３が配置されているのである。
この傾斜面１３Ａと四角形面１１とがなす角度θは、５°≦θ≦１５°の範囲内に設定され、本実施形態においては、θ＝１０°に設定されており、切刃１５も前記四角形面１１と交差角１０°で交差するように配置されることになる。
【００２１】
また、四角形面１１の中心部分には、四角形面１１に対して直交して厚さ方向に貫通した挿通孔１６が穿設されている。この切削インサート１０は、四角形面１１に対向する側から見て図１に示すように、切削インサート１０の中心部分（挿通孔１６の中心）を基準として９０°回転対称となるように形成されている。
【００２２】
そして、この切削インサート１０の四角形面１１の角部１１Ａには、図３に示すように、コーナＲ部１７が形成されており、このコーナＲ部１７と前記角部１１Ａで交差する一対の切刃１５、１５との間には、これら切刃１５、１５よりも内側に傾いた一対の直線刃１８、１８が形成されている。つまり、角部１１Ａには、一対の切刃１５、１５を延在させた際の交差角よりも大きな角度で交差する一対の直線刃１８、１８が形成されているのである。本実施形態においては、直線刃１８は切刃１５に対して角度φだけ内側に傾いて形成されており、この角度φが、３°≦φ≦４５°の範囲内に設定され、より具体的にはφ＝５°とされている。よって、各角部１１Ａに配置された一対の直線刃１８、１８同士の交差角は１００°とされ、一対の切刃１５、１５同士の交差角９０°よりも大きくされている。
【００２３】
一対の直線刃１８、１８はコーナＲ部１７の両端にそれぞれ連なるように配置されており、直線刃１８と切刃１５との間には、それぞれ連結Ｒ部１９が形成されている。言い換えると、角部１１Ａは、切刃１５、連結Ｒ部１９、直線刃１８、コーナＲ部１７、直線刃１８、連結Ｒ部１９、切刃１５とが順に並ぶように配置されることで構成されている。
ここで、角部１１Ａに形成された直線刃１８及び連結Ｒ部１９は、四角形面１１に対向する側から見て、コーナＲ部１７を２等分する基準線に対して線対称となるように構成されている。
【００２４】
次に、この切削インサート１０が装着されて構成されるボーリングカッタ２０について説明する。ボーリングカッタ２０は、図３及び図４に示すように、軸線Ｏを中心とした概略多段円柱状をなす工具本体２１を有している。工具本体２１の後端側（図３において上側）には、工具本体２１を工作機械（図示なし）の主軸端等に取り付けるための取付孔２２が形成されている。また、工具本体２１には、前記取付孔２２と連通して軸線Ｏに沿って延びるクーラント孔２３と、このクーラント孔２３よりも大径とされたクーラント貯留部２４とが形成されており、クーラント貯留部２４の先端側部分には軸線Ｏに沿うように止めネジ２５が螺着されている。
【００２５】
工具本体２１の先端側外周には、工具本体２１が切り欠かれて工具本体２１先端側及び工具本体２１径方向外側に向けて開口する凹部２６が円周方向に複数形成されており、この凹部２６の工具回転方向Ｔ後方側には、前記切削インサート１０を装着するための取付座２７が設けられている。本実施形態では、図４に示すように５つ（奇数）の凹部２６及び５つの取付座２７が配置されている。なお、これら５つの取付座２７は、円周方向において不等間隔に配置されている。
【００２６】
取付座２７の工具回転方向Ｔ前方側を向く壁面２７Ａは、図５に示すように、工具本体２１先端側に向かうにしたがい漸次工具回転方向Ｔ後方側に後退するように軸線Ｏに対して傾斜させられている。また、この取付座２７の工具回転方向Ｔ前方側を向く壁面２７Ａには、図示しないネジ孔が穿設されている。
さらに、取付座２７の工具本体２１先端側を向く壁面２７Ｂは、図３に示すように工具本体２１径方向外側に向かうにしたがい漸次工具本体２１後端側へ後退するように傾斜させられている。
【００２７】
また、凹部２６の工具本体２１径方向外側を向く底面には、前記クーラント貯留部２４と連通されたクーラント排出孔２８が開口されており、このクーラント排出孔２８は工具本体２１径方向外側に向かうにしたがい工具回転方向Ｔ後方側に向かうように配置されている。
さらに、凹部２６の工具回転方向Ｔ前方側には、凹部２６の外周端部分を切り欠いた切欠部２９が形成されている。
【００２８】
このような構成とされた取付座２７に、切削インサート１０が装着されてボーリングカッタ２０が構成される。
切削インサート１０のひとつの四角形面１１を工具回転方向Ｔ前方側に向けて他の四角形面１１を取付座２７の工具回転方向Ｔ前方側を向く壁面２７Ａに密着するように、かつ、前記切削インサート１０の工具本体２１後端側を向く側面１２を取付座２７の工具本体２１先端側を向く壁面２７Ｂに当接するようにして、切削インサート１０を取付座２７に配置する。この状態で、クランプネジ３０を切削インサート１０の挿通孔１６に挿通して取付座２７に穿設されたネジ孔にねじ込むことにより、切削インサート１０が取付座２７に強固に固定される。なお、このクランプネジ３０をねじ込む際には、凹部２６の工具回転方向Ｔ前方側に形成された切欠部２９を通じてドライバー等の作業用工具を挿入して作業する。
【００２９】
このように切削インサート１０が取付座２７に装着されることにより、切削インサート１０は、図３に示すように、工具本体２１先端側及び工具本体２１径方向外側に向けてひとつの角部１１Ａが突出されて、この角部１１Ａに形成された一対の切刃１５のうち工具本体２１先端側に向けられた切刃１５が主切刃１５Ａとされ、この主切刃１５Ａと軸線Ｏと直交する平面とがなす角度、いわゆるリード角γは、３°≦γ≦４５°の範囲内に設定されており、本実施形態においてはγ＝５°とされている。
【００３０】
また、切削インサート１０の工具回転方向Ｔ前方側を向けられた四角形面１１を基準としたラジアルレーキ角αは、図４に示すように工具本体２１径方向外側に向かうにしたがい工具回転方向Ｔ後方側に後退するように負側に設定されており、具体的には−１５°≦α≦−３°の範囲内とされていて、本実施形態ではα＝−５°に設定されている。
さらに、切削インサート１０の工具回転方向Ｔ前方側を向けられた四角形面１１を基準としたアキシャルレーキ角βは、図５に示すように工具本体２１先端側に向かうにしたがい工具回転方向Ｔ後方側に後退するように負側に設定されており、具体的には−１５°≦β≦−３°の範囲内とされていて、本実施形態ではβ＝−５°に設定されている。
【００３１】
このようにして構成されたボーリングカッタ２０は、工具本体２１の取付孔２２を介して工作機械の主軸端に取り付けられ、工具本体２１をその軸線回りに高速回転するとともに軸線Ｏ方向に送りを与えられて、被切削材に予め形成された下穴に挿入されることにより、工具本体２１先端側に向けられた切削インサート１０の主切刃１５Ａによって下穴の内壁面をして所定の内径の加工穴を形成するものである。この切削加工の際には、工作機械側からクーラント孔２３へと切削油が供給され、この切削油がクーラント貯留部２４及びクーラント排出孔２８を介して主切刃１５Ａに向けて排出される。
【００３２】
本実施形態である切削インサート１０においては、工具本体先端側に向けられた主切刃１５Ａと角部１１Ａで交差して工具本体径方向外側に向けられた切刃１５とコーナＲ部１７との間に前記切刃１５よりも内側に角度φだけ傾いた直線刃１８が形成され、角度φが    ３°≦φ≦４５°の範囲内に、より具体的にはφ＝５°に設定されるとともに、主切刃１５Ａのリード角γが３°≦γ≦４５°の範囲内に、より具体的にはγ＝５°に設定されているので、図７に示すように、工具本体径方向外側に向けられた切刃１５が径方向内側に後退して加工穴内壁面と前記直線刃１８とが摺接するように配置されることになる。よって、加工穴内壁面をこの直線刃１８でさらうように切削することができ、加工穴内壁面の面粗さを滑らかにすることができる。
【００３３】
また、この直線刃１８と切刃１５との間に連結Ｒ部１９が形成されているので、ボーリングカッタ２０の送り量を大きくしてもこの連結Ｒ部１９が加工穴内壁面と摺接することになり、加工穴内壁面の面粗さが劣化することを防止できる。また、切刃１５と直線刃１８との交差部分がなくなって切刃１５と直線刃１８とが滑らかに接続されるので、切削インサート１０の欠損を防止できる。
【００３４】
また、直線刃１８と連結Ｒ部１９とが、四角形面１１に対向する側から見て、コーナＲ部１７を２等分する基準線に対して線対称となるように形成されているので、この切削インサート１０を、例えば右回転の切削工具にだけでなく左回転の切削工具にも適用しても、前述のように加工穴内壁面を直線刃１８でさらうように切削することができ、この切削インサート１０をいわゆる勝手なしの切削インサートとすることができる。
【００３５】
さらに、四角形面１１の辺稜部に沿うようにブレーカ溝１３が形成され、該ブレーカ溝１３に四角形面１１と角度θ＝１０°で交差する傾斜面１３Ａが備えられ、この傾斜面１３Ａと側面１２との交差稜線部に切刃１５が形成されているので、図４に示すように、四角形面１１を基準としてラジアルレーキ角αを負側となるように、より具体的にはα＝−５°となるように切削インサート１０を取り付けても、主切刃１５Ａ自体のラジアルレーキ角は正側に設定されることになる。
【００３６】
また、四角形面１１から凹むようなブレーカ溝１３が形成されているので、図５に示すように、四角形面１１を基準としてアキシャルレーキ角βを負側となるように、より具体的にはβ＝−５°となるように切削インサート１０を取り付けても、主切刃１５Ａ自体のアキシャルレーキ角を正側に設定することができる。
【００３７】
よって、四角形面１１を基準としてラジアルレーキ角及びアキシャルレーキ角が負となるように切削インサート１０を装着しても、主切刃１５Ａ自体のアキシャルレーキ角及びラジアルレーキ角を正側に設定することができ、切削抵抗を確実に低減することができる。よって、切削抵抗による工具本体２１の振動を防止して切削加工を精度良く行うことができるとともに、切削インサート１０の破損等を防止できる。また、主切刃１５Ａの切れ味を向上させることによって切削加工後の加工面の面粗さを向上させることができる。
【００３８】
また、四角形面１１中央部から辺稜部に向けて延びるリブ部１４が形成されているので、切削インサート１０を取付座２７の工具回転方向Ｔ前方側を向く壁面２７Ａに対してこのリブ部１４が当接するように載置でき、取付座２７からの主切刃１５Ａの突出量を小さく抑えることができる。したがって、切削加工時に主切刃１５Ａに作用する切削抵抗を取付座２７で受けることができ、切刃１５の欠損を防止できる。
【００３９】
また、切削インサート１０が、四角形面１１に対向する側から見て、四角形面１１の中心を基準として９０°回転対称に形成されるとともに、側面１２に対向する側から見て、四角形面１１の辺稜部を２等分する基準線に対して線対称、かつ、厚さ方向に２等分する基準線に対して線対称に形成されているので、切削インサート１０に形成された８つの角部１１Ａを順次工具本体２１から突出するように装着して使用することができ、この切削インサート１０の使用コストを大幅に低減することができる。
【００４０】
また、リブ部１４によってブレーカ溝１３が各角部１１Ａ毎に分割されているので、工具本体２１先端側に向けられた主切刃１５Ａによって生成した切屑が、他の角部１１Ａに配置されたブレーカ溝１３を擦過することが防止され、他の角部１１Ａに形成された切刃１５を順次使用することができる。
また、ネガティブタイプの切削インサート１０とされているので、切削代を比較的大きくしても切削抵抗によって切削インサート１０が破損することがなく、切削加工を効率良く行うことができる。
【００４１】
さらに、この構成のボーリングカッタ２０では、取付座２７が円周方向に不等間隔に配置されているので、取付座２７に装着された切削インサート１０の主切刃１５Ａに作用する切削抵抗の大きさや作用時間が異なるものとなって、工具本体２１にその固有振動数にあった周期的な振動（共振）が発生することを防止できる。また、取付座２７が５つ設けられ、いわゆる奇数刃のボーリングカッタ２０とされているので、工具本体２１の共振をより確実に防止することができる。
また、主切刃１５Ａと軸線Ｏと直交する平面とがなす角度、いわゆるリード角γが、３°≦γ≦４５°の範囲内に、より具体的にはγ＝５°とされているので、切削加工時に切削インサート１０に作用する切削抵抗の背分力を小さく抑えることができ、工具本体２１の振動を抑制することができるとともに、切削時の衝撃が不必要に大きくなることを防止できる。
【００４２】
以上、本発明の実施形態について説明したが、本発明はこれに限定されることはなく、その発明の技術的思想を逸脱しない範囲で適宜変更可能である。例えば、直線刃と切刃とがなす角度φを３°≦φ≦４５°の範囲内に、より具体的にはφ＝５°に設定したものとして説明したが、本発明はこれに限定されることはなく、切刃の内側に傾くように直線刃が形成されていれば良い。この角度φは、主切刃のリード角γに併せて設定することが好ましい。
【００４３】
また、主切刃のリード角γを３°≦γ≦４５°の範囲内に、より具体的にはγ＝５°として工具本体に装着したボーリングカッタとして説明したが、リード角γはこれに限定されることはなく、任意に設定することができる。しかし、リード角γを本実施形態の範囲内に設定することにより、切削抵抗の背分力を低減できるとともに切削時の衝撃を抑えることができる。
【００４４】
また、切削インサートの側面視において、ブレーカ溝に形成された傾斜面と四角形面とがなす角度θを、５°≦θ≦１５°の範囲内に、より具体的にはθ＝１０°に設定したものとして説明したが、この数値に限定されることはなく、前記角度θを任意に設定してもよい。
【００４５】
また、各角部に一対の直線刃を形成し、これら直線刃がコーナＲ部を２等分する基準線に対して線対称となるように配置された切削インサートとして説明したが、これに限定されることはなく、片側のみに直線刃を形成したものであってもよい。ただし、本実施形態のような形状とすることにより、右回転の切削工具及び左回転の切削工具のどちらにも適用することができて前述した効果を奏することができる。
【００４６】
さらに、凹部及び取付座をそれぞれ５つ設けて、これら凹部及び取付座を円周方向で不等間隔に配置したボーリングカッタとして説明したが、これに限定されることはなく、凹部及び取付座の数や配置は任意に設定でき、被切削材の材質や切削条件等を考慮して適宜設定することが好ましい。ただし、本実施形態のように奇数刃としたり、取付座を不等間隔に配置したりすることにより工具本体の共振を防止できる。
【図面の簡単な説明】
【００４７】
【図１】本実施形態である切削インサートの正面図である。
【図２】図１に示す切削インサートの側面図である。
【図３】図１に示す切削インサートが装着された切削工具の側面部分断面図である。
【図４】図３に示す切削工具の底面図である。
【図５】図３に示す切削工具の取付座の側面図である。
【図６】従来の切削インサートの正面図である。
【図７】図６に示す切削インサートの側面図である。
【符号の説明】
【００４８】
１０  切削インサート
１１  四角形面（多角形面）
１１Ａ  角部
１２  側面
１３  ブレーカ溝
１３Ａ  傾斜面
１４  リブ部
１５  切刃
１７  コーナＲ部
１８  直線刃
１９  連結Ｒ部
２０  ボーリングカッタ（切削工具）
２１  工具本体
２６  凹部
２７  取付座
【図１】
2007283467.tif 000003
【図２】
2007283467.tif 000004
【図３】
2007283467.tif 000005
【図４】
2007283467.tif 000006
【図５】
2007283467.tif 000007
【図６】
2007283467.tif 000008
【図７】
2007283467.tif 000009